(57)【特許請求の範囲】
【請求項１】
複数段の栽培段が上下方向に並設された生産棚の複数基を、隣り合う生産棚どうしの間及び設置室の室壁とそれに隣接する生産棚との間に作業通路を形成する状態で、棚短辺方向に並べて設置室に設置し、
この設置室に供給する空気を温度調整する空調機を設けるとともに、
前記作業通路のうち棚短辺方向において１つおきの前記作業通路を給気域にして、その他の前記作業通路を排気域にする状態で、
前記栽培段に隣接する前記給気域の域内空気をその栽培段に隣接する前記排気域に向けてその栽培段に通風する複数の換気ファンを、棚長辺方向に分散させた並列配置で前記栽培段の夫々に装備してある栽培生産設備であって、
前記空調機により温度調整した調整空気を前記給気域夫々の上方から下方の前記給気域に対して吐出する吐出手段を設け、
前記栽培段には、栽培植物の根を槽中の栽培養液に浸漬させる養液貯留槽と、その養液貯留槽の上方空間である栽培空間と、その栽培空間の天井を形成する天井板と、その天井板の上方空間である天井裏空間とを形成し、
前記天井裏空間における前記給気域の側の開口部を閉塞する上部遮壁を設けるとともに、前記栽培空間における前記排気域の側の開口部を閉塞する下部遮壁を設け、
前記換気ファンは、前記天井板における前記排気域寄りの部分に形成した送出口に装備してある栽培生産設備。
【請求項２】
前記換気ファンは、個別の送風量調整が可能な送風量可変ファンにしてある請求項１記載の栽培生産設備。
【請求項３】
前記栽培段には、栽培植物を保持する複数の栽培床を、棚長辺方向に移動自在な状態で棚長辺方向に並べて装備し、
棚長辺方向における前記栽培段の一端部は、その一端部において前記栽培床を前記栽培段に設置する栽培開始部にし、
棚長辺方向における前記栽培段の他端部は、その他端部において前記栽培床を前記栽培段から取り出す栽培終了部にしてある請求項１又は２記載の栽培生産設備。
【請求項４】
前記空調機は、温度調整した調整空気を棚長辺方向で前記給気域の上方に吹き出す状態に配置し、
前記吐出手段として、前記給気域の上方には、前記空調機により前記給気域の上方に吹き出された調整空気を下方の前記給気域に対して吐出する天井換気扇を設けてある請求項１〜３のいずれか１項に記載の栽培生産設備。
【請求項５】
前記給気域の上方には複数の前記天井換気扇を、棚長辺方向に分散させて並列配置してある請求項４記載の栽培生産設備。
【請求項６】
前記吐出手段として、前記給気域の上方には、下方の前記給気域に対して調整空気を吐出する吹出口を設け、
前記空調機により温度調整した調整空気を前記吹出口に導くダクトを設けてある請求項１〜３のいずれか１項に記載の栽培生産設備。
【請求項７】
前記給気域の上方には複数の前記吹出口を、棚長辺方向に分散させて並列配置してある請求項６記載の栽培生産設備。
【請求項８】
前記給気域の上方域を棚短辺方向における両側の隣接域に対して仕切る仕切壁を設けてある請求項４〜７のいずれか１項に記載の栽培生産設備。
【発明の詳細な説明】
【技術分野】
【０００１】
本発明は、野菜等の植物を室内の棚において栽培生産する栽培生産設備に関し、
詳しくは、複数段の栽培段が上下方向に並設された生産棚の複数基を、隣り合う生産棚どうしの間及び設置室の室壁とそれに隣接する生産棚との間に作業通路を形成する状態で、棚短辺方向に並べて設置室に設置し、
この設置室に供給する空気を温度調整する空調機を設けるとともに、
前記作業通路のうち棚短辺方向において１つおきの前記作業通路を給気域にして、その他の前記作業通路を排気域にする状態で、
前記栽培段に隣接する前記給気域の域内空気をその栽培段に隣接する前記排気域に向けてその栽培段に通風する複数の換気ファンを、棚長辺方向に分散させた並列配置で前記栽培段の夫々に装備してある栽培生産設備に関する。
【背景技術】
【０００２】
下記の特許文献１に開示された従来の栽培生産設備では、図７，図８に示すように、設置室１における出入口側の半部と奥側の半部との夫々において、２つの生産棚２を、それら生産棚２どうしの間に作業通路３を形成する状態で棚短辺方向に並べて設置し、これら生産棚２には複数段の栽培段４を上下方向に並設してある。
【０００３】
そして、棚長辺方向に沿う姿勢で互い対向する室壁１ｂ夫々の上部には空調機１１を装備し、これら空調機１１により、その下方における生産棚２と室壁１ｂとの間の隙間域Ｅから空気を吸入して、その吸入空気を温度調整した調整空気ｓａを設置室１の上部域に吹き出すようにしてある。
【０００４】
これに対し、各生産棚２における栽培段４の夫々には複数の換気ファン１６を棚長辺方向に分散させた並列配置で装備し、これら換気ファン１６により、作業通路３における空気を生産棚２と室壁１ｂとの間の隙間域Ｅに向けて栽培段４の夫々に通風するようにしてある。
【０００５】
即ち、特許文献１に開示された栽培生産設備では、空調機１１の運転下において、換気ファン１６の運転により各生産棚２における栽培段４の夫々に対し作業通路３の側から取り入れた空気を通風することで、それら栽培段４の夫々を栽培植物の生育に適した環境に保つようにしている。
【先行技術文献】
【特許文献】
【０００６】
【特許文献１】特開２０１４−２３３２３１号公報
【発明の概要】
【発明が解決しようとする課題】
【０００７】
しかし、特許文献１に開示された栽培生産設備では、空調機１１により温度調整した調整空気ｓａを設置室１の上部域に吹き出すものの、作業通路３は２つの生産棚２により挟まれた制限空間であるため、作業通路３には空調機１１による調整空気ｓａが行き届き難く、この為、設置室１（特に作業通路３）では、温度差による空気の比重差により上部ほど空気温度が高くなる傾向があり、そのことで、換気ファン１６により各生産棚２の栽培段４に通風する空気の温度（即ち、通風温度）も上部の栽培段４ほど高くなる傾向がある。
【０００８】
そして、この通風温度のバラツキが原因で、生産棚２における上部の栽培段４と下部の栽培段４とで栽培植物に生育差が生じたり、生産棚２における栽培植物の一部に温度障害が生じるなどの問題があった。
【０００９】
この実情に鑑み、本発明の主たる課題は、空調機から供給される調整空気について合理的な導風形態を採用することで上記問題を解消する点にある。
【課題を解決するための手段】
【００１０】
本発明の第１特徴構成は栽培生産設備に関し、その特徴は、
複数段の栽培段が上下方向に並設された生産棚の複数基を、隣り合う生産棚どうしの間及び設置室の室壁とそれに隣接する生産棚との間に作業通路を形成する状態で、棚短辺方向に並べて設置室に設置し、
この設置室に供給する空気を温度調整する空調機を設けるとともに、
前記作業通路のうち棚短辺方向において１つおきの前記作業通路を給気域にして、その他の前記作業通路を排気域にする状態で、
前記栽培段に隣接する前記給気域の域内空気をその栽培段に隣接する前記排気域に向けてその栽培段に通風する複数の換気ファンを、棚長辺方向に分散させた並列配置で前記栽培段の夫々に装備してある栽培生産設備であって、
前記空調機により温度調整した調整空気を前記給気域夫々の上方から下方の前記給気域に対して吐出する吐出手段を設け、
前記栽培段には、栽培植物の根を槽中の栽培養液に浸漬させる養液貯留槽と、その養液貯留槽の上方空間である栽培空間と、その栽培空間の天井を形成する天井板と、その天井板の上方空間である天井裏空間とを形成し、
前記天井裏空間における前記給気域の側の開口部を閉塞する上部遮壁を設けるとともに、前記栽培空間における前記排気域の側の開口部を閉塞する下部遮壁を設け、
前記換気ファンは、前記天井板における前記排気域寄りの部分に形成した送出口に装備してある点にある。
【００１１】
この構成では、空調機により温度調整した調整空気を給気域夫々の上方から下方の給気域に対して吐出手段により吐出するから、給気域が生産棚や室壁により挟まれた制限空間であるにしても、むしろ制限空間であることを利用した状態で、給気域に対して空調機による調整空気を効率良く供給することができ、また、吐出手段からの吐出空気流により給気域において撹拌的な空気の対流を効果的に生じさせることができ、これらのことで、給気域における域内空気の温度を上下方向及び水平方向の夫々について効果的に均一化した状態で所要温度に効率良く調整して、その状態を安定的に保つことができる。
【００１２】
したがって、生産棚における上下方向複数段のいずれの栽培段に対しても、また、各栽培段の棚長辺方向におけるいずれの部分に対しても、給気域における均一化された所要温度の域内空気を換気ファンにより通風することができて、栽培段の夫々に対する通風温度及び各栽培段における棚長辺方向各部に対する通風温度を効果的に均一化することができ、これにより、生産棚のおける上部の栽培段と下部の栽培段とで栽培植物に生育差が生じたり、生産棚における一部の栽培植物に温度障害が生じるなどの通風温度のバラツキに原因する種々の不都合を効果的に回避することができる。
【００１３】
また、上記第１特徴構成では、
前記栽培段には、栽培植物の根を槽中の栽培養液に浸漬させる養液貯留槽と、その養液貯留槽の上方空間である栽培空間と、その栽培空間の天井を形成する天井板と、その天井板の上方空間である天井裏空間とを形成し、
前記天井裏空間における前記給気域の側の開口部を閉塞する上部遮壁を設けるとともに、前記栽培空間における前記排気域の側の開口部を閉塞する下部遮壁を設け、
前記換気ファンは、前記天井板における前記排気域寄りの部分に形成した送出口に装備してあるから、次の作用効果も併せて奏する。
【００１４】
この構成では、各栽培段において、給気域の域内空気が天井裏空間に侵入することを上部遮壁により阻止し、また、排気域の域内空気が栽培空間に侵入することを下部遮壁により阻止した状態で、給気域における均一化された所要温度の域内空気を、栽培空間における給気域の側の開口部、及び、天井板における排気域寄りの部分に形成した送出口（即ち、換気ファンを装備した開口）を通じて、各栽培段における栽培空間に対し的確に通風することができる。
【００１５】
また一般に、天井板には栽培空間に対する照明具が装備されるが、栽培空間での照明具の発生熱を栽培空間に対する上記通風により栽培空間から効果的に除去できるとともに、天井裏空間で発生する照明具の発生熱（即ち、照明具の取り付け基部において発生する熱）なども、上記送出口から天井裏空間における排気域の側の開口部を通じて排気域に排出される通風空気とともに、天井裏空間から効果的に除去することができる。
【００１６】
したがって、照明具の発生熱に原因する栽培植物への悪影響も効果的に回避して、各栽培段における栽培空間を一層効果的かつ安定的に栽培植物の生育に適した空間に保つことができる。
【００１７】
本発明の第２特徴構成は、第１特徴構成の実施に好適な実施形態を特定するものであり、その特徴は、
前記換気ファンは、個別の送風量調整が可能な送風量可変ファンにしてある点にある。
【００１８】
この構成では、棚長辺方向に分散させた並列配置で各栽培段に装備した換気ファン夫々の送風量を個別に調整することで、生産棚の栽培段に対する空気通風量の分布状態を栽培段ごとに棚長辺方向について調整し得るとともに、生産棚の上下方向についても調整することができ、これにより、生産棚の各部における栽培環境をそれら各部における栽培植物の生育状況などに応じ調整することができて、生産棚全体としての栽培効率を一層高めることができる。
【００１９】
なお、この構成の実施においては、生産棚の各部における栽培植物の生育状況を監視する監視手段を設け、この監視手段による監視結果に応じて換気ファン夫々の送風量を個別に自動調整ないし手動調整するようにしてもよい。
【００２０】
本発明の第３特徴構成は、第１又は第２特徴構成の実施に好適な実施形態を特定するものであり、その特徴は、
前記栽培段には、栽培植物を保持する複数の栽培床を、棚長辺方向に移動自在な状態で棚長辺方向に並べて装備し、
棚長辺方向における前記栽培段の一端部は、その一端部において前記栽培床を前記栽培段に設置する栽培開始部にし、
棚長辺方向における前記栽培段の他端部は、その他端部において前記栽培床を前記栽培段から取り出す栽培終了部にしてある点にある。
【００２１】
この構成では、栽培段他端部の栽培終了部に至った栽培床を栽培段から取り出し、この栽培床の取り出しにより栽培終了部に生じる空スペース分だけ、その栽培段における複数の栽培床を栽培終了部の側へ詰める状態で移動させ、この詰め移動により栽培段一端部の栽培開始部に生じる空スペースに新たな栽培床を設置する栽培操作形態を採る。
【００２２】
そして、この栽培操作形態において上記詰め移動操作の繰り返し周期を調整することで、栽培初期の栽培植物を保持させた状態で栽培開始部に設置した栽培床が上記の如き詰め移動操作の繰り返しにより栽培終了部に至ったときには、その栽培床に保持された栽培植物が収穫可能な状態まで成長しているようにする。
【００２３】
即ち、このことにより、生産棚における栽培段夫々の他端部である栽培終了部において、収穫期に達した栽培植物を継続的に収穫することができて、栽培植物の生産性を安定化するとともに、収穫作業を容易にすることができる。
【００２４】
なお、この栽培操作形態に対し前述の第２特徴構成を併行実施して、換気ファン夫々の個別の送風量調整により各栽培段に対する空気通風量の分布状態を棚長辺方向について調整することで、各栽培段における棚長辺方向各部の栽培環境をそれら各部における栽培植物の生育状況（即ち、ここでは栽培植物の各成長段階における生育状況）に応じて調整するようにすれば、栽培植物の生産性を安定化しながら生産性を一層高めることができる。
【００２５】
本発明の第４特徴構成は、第１〜第３特徴構成のいずれかの実施に好適な実施形態を特定するものであり、その特徴は、
前記空調機は、温度調整した調整空気を棚長辺方向で前記給気域の上方に吹き出す状態に配置し、
前記吐出手段として、前記給気域の上方には、前記空調機により前記給気域の上方に吹き出された調整空気を下方の前記給気域に対して吐出する天井換気扇を設けてある点にある。
【００２６】
この構成では、空調機は調整空気を棚長辺方向で給気域の上方に吹き出すだけの単純な設置形態を採りながらも、この空調機から吹き出された調整空気を上記天井換気扇により下方の給気域に対して効率良く吐出供給することができる。
【００２７】
したがって、設備コストを安価にしながら、前述した第１特徴構成の効果を得ることができる。
【００２８】
本発明の第５特徴構成は、第４特徴構成の実施に好適な実施形態を特定するものであり、その特徴は、
前記給気域の上方には複数の前記天井換気扇を、棚長辺方向に分散させて並列配置してある点にある。
【００２９】
この構成では、給気域の棚長辺方向における域長さが比較的大きい場合でも、上記の如く並列配置した複数の天井換気扇により、空調機による調整空気を棚長辺方向において均一化した状態で下方の給気域に吐出供給することができる。
【００３０】
したがって、給気域の棚長辺方向における域長さが比較的大きい場合でも、前述した第１特徴構成の効果を確実に得ることができる。
【００３１】
本発明の第６特徴構成は、第１〜第３特徴構成のいずれかの実施に好適な実施形態を特定するものであり、その特徴は、
前記吐出手段として、前記給気域の上方には、下方の前記給気域に対して調整空気を吐出する吹出口を設け、
前記空調機により温度調整した調整空気を前記吹出口に導くダクトを設けてある点にある。
【００３２】
この構成では、空調機を適当な箇所に設置しながらも、その空調機から上記ダクトを通じて導かれる調整空気を、上記吹出口から下方の給気域に対して効率良く吐出供給することができる。
【００３３】
したがって、空調機設置スペースの確保を容易にしながら、前述した第１特徴構成の効果を得ることができる。
【００３４】
本発明の第７特徴構成は、第６特徴構成の実施に好適な実施形態を特定するものであり、その特徴は、
前記給気域の上方には複数の前記吹出口を、棚長辺方向に分散させて並列配置してある点にある。
【００３５】
この構成では、給気域の棚長辺方向における域長さが比較的大きい場合でも、上記の如く並列配置した複数の吹出口により、空調機による調整空気を棚長辺方向において均一化した状態で下方の給気域に吐出供給することができる。
【００３６】
したがって、給気域の棚長辺方向における域長さが比較的大きい場合でも、前述した第１特徴構成の効果を確実に得ることができる。 
【００３７】
本発明の第８特徴構成は、第４〜第７特徴構成のいずれかの実施に好適な実施形態を特定するものであり、その特徴は、
前記給気域の上方域を棚短辺方向における両側の隣接域に対して仕切る仕切壁を設けてある点にある。
【００３８】
この構成では、上記仕切壁により給気域の上方域を棚短辺方向における両側の隣接域に対して仕切ることで、空調機から調整空気が供給される給気域の上方域、及び、それに連通する下方の給気域を排気域に対して確実に陽圧化することができる。
【００３９】
したがって、生産棚における栽培段の夫々に対して給気域における域内空気（即ち、均一化された所要温度の域内空気）を一層確実かつ良好に通風することができる。
【図面の簡単な説明】
【００４０】
【図１】第１実施形態における栽培生産設備の平面図
【図２】図１におけるII−II線拡大断面図
【図３】栽培操作形態を説明する平面図
【図４】変形例を示す要部の正面図
【図５】第２実施形態における栽培生産設備の平面図
【図６】図５におけるVI−VI線拡大断面図
【図７】従来の栽培生産設備を示す平面図
【図８】従来の栽培生産設備を示す正面図
【発明を実施するための形態】
【００４１】
〔第１実施形態〕
図１は野菜を室内の棚において栽培生産する栽培生産設備を示し、この栽培生産設備にでは、棚長辺方向における長さが十数ｍに及ぶ複数基（本例では１２基）の生産棚２を平行姿勢で棚短辺方向ｄに並べて設置室１に設置してある。
【００４２】
生産棚２は所定の間隔を空けて設置してあり、隣り合う生産棚２どうしの間のスペースは作業通路３にしてある。
【００４３】
生産棚２には、図２に示すように、複数段（本例では４段）の栽培段４を上下方向に並設してあり、これら栽培段４の夫々において野菜を栽培する。
【００４４】
各栽培段４は、栽培野菜ａの根を槽中の栽培養液Ｌに浸漬させる養液貯留槽５と、その養液貯留槽５の上方空間である栽培空間６と、その栽培空間６の天井を形成する天井板７と、その天井板７の上方空間である天井裏空間８とからなる。
【００４５】
また、天井板７には栽培空間６に対する栽培用の照明具９を装備し、養液貯留槽５には、栽培野菜ａを保持する複数の栽培床１０を図３に示すように１列に棚長辺方向ｗに並べた状態で槽内養液Ｌの液面上に浮かせて設置してある。
【００４６】
これら栽培床１０は、それが保持する栽培野菜ａとともに、栽培養液Ｌに浮かせた状態のままで棚長辺方向ｗに移動させることができる。
【００４７】
同図３に示すように、各栽培段４の棚長辺方向ｗにおける一端部は、栽培初期の栽培野菜ａを保持させた栽培床１０を養液貯留槽５における栽培養液Ｌに浮かせる状態で栽培段４に設置する栽培開始部４ａにしてある。
【００４８】
これに対し、各栽培段４の棚長辺方向ｗにおける他端部は、収穫期にまで成長した栽培野菜ａを保持する栽培床１０を栽培段４から取り出す栽培終了部４ｂにしてある。
【００４９】
つまり、この栽培生産設備では、収穫期の栽培野菜ａを保持する栽培床１０を栽培終了部４ｂにおいて栽培段４から取り出すと、その取り出しにより栽培終了部４ｂに生じる空スペース分だけ、その栽培段４における複数の栽培床１０の夫々を栽培終了部４ｂの側に詰め移動させる。
【００５０】
また、この詰め移動により栽培開始部４ａに生じる空スペースに、栽培初期の野菜を保持させた栽培床１０を新たに設置する。
【００５１】
そして、この栽培操作形態を採ることにおいて、上記詰め移動操作の繰り返し周期を調整することで、栽培初期の栽培野菜ａを保持させた状態で栽培開始部４ａに設置した栽培床１０が上記の如き詰め移動操作の繰り返しにより栽培終了部４ｂに至ったときには、その栽培床１０に保持された栽培野菜ａが収穫可能な状態まで成長しているようにする。
【００５２】
即ち、このようにすることで、各栽培段４の栽培終了部４ｂにおいて栽培野菜ａを定期的に収穫できるようにしてある。
【００５３】
図１に示すように、生産棚２どうしの間の作業通路３のうち、棚短辺方向ｄにおける１つおきの作業通路３は給気域Ｓにし、残りの作業通路３及び室壁とそれに隣接する生産棚２との間のスペースは排気域Ｅにしてある。
【００５４】
そして、平面視において各給気域Ｓの棚長辺方向ｗにおける延長相当箇所には、温度調整した調整空気ｓａを棚長辺方向で各給気域Ｓの上方に吹き出す空調機１１を給気域Ｓごとに設置してある。
【００５５】
また、各給気域Ｓの上方には、各空調機１０により給気域Ｓの上方に吹き出された調整空気ｓａを下方の給気域Ｓに対して吐出する複数（本例では３機）の天井換気扇１２を、棚長辺方向ｗに分散させた並列配置で設置してある。
【００５６】
つまり、各空調機１１から給気域Ｓの上方に吹き出した調整空気ｓａを並列配置の天井換気扇１２により下方の給気域Ｓに吐出することで、調整空気ｓａを各給気域Ｓに対して効率良く供給するとともに、天井換気扇１２からの吐出空気流により各給気域Ｓにおいて撹拌的な空気の対流を生じさせ、これにより、各給気域Ｓにおける域内空気の温度を上下方向及び水平方向の夫々について効果的に均一化した状態で所要温度ｔｓに効率良く調整して、その状態を安定的に保つことができるようにしてある。
【００５７】
これに対し、各生産棚２における各栽培段４には、天井裏空間８における給気域Ｓの側の開口部を閉塞する上部遮壁１３を設けるとともに、栽培空間６における排気域Ｅの側の開口部を閉塞する下部遮壁１４を設けてある。
【００５８】
また、天井板７における排気域Ｅ寄りの部分には、棚長辺方向ｗに分散させて複数（本例では５個）の送出口１５を形成し、これら送出口１５には、栽培空間６の側から空気を吸引してその吸引空気を天井裏空間８の側に送出する換気ファン１６を装備してある。
【００５９】
即ち、各生産棚２における栽培段４の夫々について、これら並列配置の換気ファン１６を運転することで、給気域Ｓにおける均一化された所要温度ｔｓの域内空気を栽培空間６における給気域Ｓの側の開口部を通じ栽培空間６に取り入れて、その取り入れ空気を送出口１５を通じ排気域Ｅに送出する通風形態で、各栽培段４の栽培空間６に対して、また、各栽培段４における棚長辺方向各部の栽培空間６に対して、給気域Ｓにおける均一化された所要温度ｔｓの域内空気を通風することができるようにしてある。
【００６０】
なお、空調機１１は、平面視において各給気域Ｓの棚長辺方向ｗにおける一方側又は他方側いずれかの片側の延長相当箇所にのみ設置する設置形態、あるいは、平面視において各給気域Ｓの棚長辺方向ｗにおける両側の延長相当箇所夫々に設置する設置形態のいずれを採用してもよい。
【００６１】
また、空調機１１を平面視において各給気域Ｓの棚長辺方向ｗにおける片側の延長相当箇所にのみ設置する場合、一方側の延長相当箇所にのみ空調機１１を設置する給気域Ｓと、他方側の延長相当箇所にのみ空調機１１を設置する給気域Ｓとを棚短辺方向ｄにおいて交互に位置させるようにしてもよい。
【００６２】
また、空調機１１は、天井設置型の空調機に限られるものではなく、床設置型や壁掛け型の空調機であってもよい。
【００６３】
各生産棚２の栽培段４を通過して排気域Ｅに至った空気は、最寄りの空調機１１の吸込口に吸引されて温度調整され、その上で、その空調機１１から給気域Ｓの上方に再び吹き出される。
【００６４】
各生産棚２における栽培段４の夫々に並列配置で装備される換気ファン１６は夫々、個別の送風量調整が可能な送風量可変ファンにしてあり、これにより、前述の如く保持野菜の成長に伴い栽培床１０を栽培終了部４ｂの側へ順次に詰め移動させる栽培操作形態を採ることに対し、換気ファン１６個々の送風量調整により各栽培段４における空気通風量の棚長辺方向における分布状態を調整することで、栽培段４における棚長辺方向各部の栽培環境を、それら各部における栽培野菜ａの生育状況（即ち、栽培野菜ａの各成長段階における生育状況）に応じて最適化するようにしてある。
【００６５】
なお、図４に示すように、給気域Ｓの上方域（即ち、空調機１１からの調整空気ｓａの吹き出し域）を棚短辺方向ｄにおける両側の隣接域に対して仕切る、また必要であれば、給気域Ｓの上方域を棚短辺方向ｄにおける両側の隣接域及び棚長辺方向ｗにおける両側の隣接域の夫々に対して仕切る仕切壁１７を設けてもよい。
【００６６】
即ち、この仕切壁１７を設けることで、給気域Ｓの上方域、及び、それに連通する下方の給気域Ｓを排気域Ｅに対して確実に陽圧化することができ、これにより、生産棚２における栽培段４の夫々に対して給気域Ｓにおける均一化された所要温度の域内空気を一層確実かつ良好に通風することができる。
【００６７】
また、この仕切壁１７を設ける場合、給気域Ｓと最寄りの排気域Ｅとを連通状態にする小口径のバイパス路１８を設け、これにより、給気域Ｓにおける域内空気の過剰分をバイパス路１８を通じて排気域Ｅ側へ短絡的に逃がすようにしてもよい。
【００６８】
〔第２実施形態〕
図５は第２実施形態の栽培生産設備を示し、この第２実施形態の栽培生産設備では、複数基（本例では８基）の生産棚２を平行姿勢で棚短辺方向ｄに並べて設置室１に設置してある。
【００６９】
図６に示すように、各生産棚２における栽培段４の段数が多く（本例では１０段）て生産棚２の高さ寸法が大きいことに対し、隣り合う生産棚２どうしの間のスペースは夫々、通気性を備える格子床１９により上中下３層の作業通路３ａ〜３ｃに区分してある。
【００７０】
即ち、下層の作業通路３ａでは第１実施形態と同様、作業者は設置室１の床上を歩行して下層の各栽培段４における栽培野菜ａを管理するのに対し、中層及び上層の作業通路３ｂ，３ｃでは、作業者は格子床１９上を歩行して中層及び下層の各栽培段４における栽培野菜ａを管理する。
【００７１】
このように生産棚２どうしの間の作業通路３ａ〜３ｃは上中下３層に区分してあるが、通気性を備える格子床１９による区分であることから、隣り合う生産棚２どうしの間のスペースは夫々、空気域（即ち、給気域Ｓないし排気域Ｅ）としては１域として扱うことができる。
【００７２】
この点から、第１実施形態と同様、隣り合う生産棚２どうしの間のスペースのうち、棚短辺方向ｄにおける１つおきのスペースは給気域Ｓにし、残りのスペース（及び室壁とそれに隣接する生産棚２との間のスペース）は排気域Ｅにしてある。
【００７３】
各生産棚２における栽培段４の構造は、第１実施形態と同様であり、各栽培段４は、養液貯留槽５と、栽培空間６と、天井板７と、天井裏空間８とからなり、天井板７には栽培空間６に対する栽培用の照明具９を装備し、養液貯留槽５には、栽培床１０を槽内養液Ｌの液面上に浮かせて設置してある。
【００７４】
また、天井板７には栽培空間６に対する栽培用の照明具９を装備し、養液貯留槽５には、栽培野菜ａを保持する複数の栽培床１０を図３に示すように１列に棚長辺方向ｗに並べた状態で槽内養液Ｌの液面上に浮かせて設置してある。
【００７５】
空調機１１は設置室１の室外に設置してあり、これに対し、設置室１の天井１ａにおいて各給気域Ｓの上方位置には、下方の給気域Ｓに対して調整空気ｓａを吐出する複数（本例では５口）の吹出口１２Ａを、棚長辺方向ｗに分散させた並列配置で設置してある。
【００７６】
そして、これら吹出口１２Ａに空調機１１による調整空気ｓａを導く給気ダクト２０を設けてある。
【００７７】
つまり、吹出口１２Ａに代えて天井換気扇１２を用いる第１実施形態と同様、各空調機１１から給気ダクト２０を通じて供給される調整空気ｓａを並列配置の吹出口１２Ａから下方の給気域Ｓに吐出することで、調整空気ｓａを各給気域Ｓに対して効率良く供給するとともに、吹出口１２Ａからの吐出空気流により各給気域Ｓにおいて撹拌的な空気の対流を生じさせ、これにより、各給気域Ｓにおける域内空気の温度を上下方向及び水平方向の夫々について効果的に均一化した状態で所要温度ｔｓに効率良く調整して、その状態を安定的に保つことができるようにしてある。
【００７８】
これにより、各生産棚２における栽培段４の夫々に並列配置で装備した換気ファン１６を運転することで、給気域Ｓにおける均一化された所要温度ｔｓの域内空気を栽培空間６における給気域Ｓの側の開口部を通じ栽培空間６に取り入れて、その取り入れ空気を送出口１５を通じ排気域Ｅに送出する通風形態で、各栽培段４の栽培空間６に対して、また、各栽培段４における棚長辺方向各部の栽培空間６に対して、給気域Ｓにおける均一化された所要温度ｔｓの域内空気を通風する。
【００７９】
また、給気域Ｓの上方域（即ち、吹出口１２Ａからの調整空気ｓａの吹き出し域）は、棚短辺方向ｄにおける両側の隣接域に対して、また必要であれば、棚短辺方向ｄにおける両側の隣接域及び棚長辺方向ｗにおける両側の隣接域の夫々に対して仕切壁１７により仕切ってあり、これにより、吹出口１２Ａからの調整空気ｓａの供給で各給気域Ｓを排気域Ｅに対し確実に陽圧化して、各生産棚２における栽培段４の夫々に対し給気域Ｓにおける均一化された所要温度の域内空気を一層確実かつ良好に通風するようにしてある。
【００８０】
各生産棚２の天板上で排気域Ｅ寄りの箇所には、複数（本例で６口）の排気口２１を棚長辺方向ｗに分散させた並列配置で設置してあり、これら排気口２１は還気ダクト２２により空調機１１の吸込口に接続してある。
【００８１】
また、還気ダクト２２からは迂回ダクト２３を分岐し、この迂回ダクト２３は、給気ダクト２０に介装した給気ファン２４の吸入側で給気ダクト２０に接続してある。
【００８２】
即ち、各生産棚２の栽培段４を通過し排気域Ｅに至った空気は、最寄りの排気口２１から吸入して還気ダクト２２を通じ還気空気ｒａとして空調機１１の側に戻し、その還気空気ｒａの一部は空調機１１に導入して機内の熱交換器１１ａにより再び温度調整する。
【００８３】
一方、還気空気ｒａの他部は迂回ダクト２３を通じて空調機１１を迂回させ、その後、空調機１１で温度調整した空気と迂回ダクト２３を通じて空調機１１を迂回させた空気とを合流させて、その合流空気を調整空気ｓａとして給気ファン２４により給気ダクト２０を通じ各吹出口１２Ａに送給する。
【００８４】
各給気域Ｓに対する並列配置の吹出口１２Ａのうち代表の吹出口１２Ａには、それから吐出する調整空気ｓａの温度ｔを検出する温度センサ２５を設けてあり、この温度センサ２５による検出温度に基づき制御器２６により流量調整弁２７を調整して空調機１１の機内熱交換器１１ａに対する熱媒供給流量を調整することで、各吹出口１２Ａから吐出する調整空気ｓａの温度ｔを設定温度ｔｓｓに自動調整する。
【００８５】
第１実施形態と同様、各生産棚２における栽培段４の夫々に並列配置で装備される換気ファン１６は夫々、個別の送風量調整が可能な送風量可変ファンにしてあり、これにより、前述の如く保持野菜の成長に伴い栽培床１０を栽培終了部４ｂの側へ順次に詰め移動させる栽培操作形態を採ることに対し、換気ファン１６個々の送風量調整により各栽培段４における空気通風量の棚長辺方向における分布状態を調整することで、栽培段４における棚長辺方向各部の栽培環境を、それら各部における栽培野菜ａの生育状況（即ち、栽培野菜ａの各成長段階における生育状況）に応じて最適化する。
【００８６】
〔別実施形態〕
次に本発明の別実施形態を列記する。
【００８７】
前述の各実施形態では、棚短辺方向ｄにおいて設置室１に存在する室壁とそれに隣接する生産棚２との間のスペースをいずれも排気域Ｅにする例を示したが、生産棚２の並設数などによっては、室壁とそれに隣接する生産棚２との間のスペースを給気域Ｓとするようにしてもよい。
【００８８】
生産棚２の構造や栽培段４の構造は、前述の各実施形態で示した構造に限らず、種々の変更が可能である。
【００８９】
また、栽培段４に対する換気ファン１６の装備構造も、前述した第１特徴構成の範囲内において種々の構造変更が可能である。
【００９０】
空調機１１は、冷房専用機、暖房専用機、あるいは、冷房と暖房との切り換えや冷暖房と換気との切り換えなどが可能な空調機のいずれであってもよく、また、空調機１１は温度調整機能に加えて除湿機能や加湿機能を備えるものであってもよい。
【００９１】
生産棚２における栽培段４は、棚長辺方向における一端部を栽培開始部４ａとし他端部を栽培終了部４ｂとするものに限らず、棚長辺方向における各部において栽培植物を位置固定した状態で栽培するものであってもよい。
【産業上の利用可能性】
【００９２】
本発明による栽培生産設備は種々の植物の栽培に利用することができる。
【符号の説明】
【００９３】
４              栽培段
２              生産棚
１              設置室
３，３ａ〜３ｃ  作業通路
ｄ              棚短辺方向
１１            空調機
ｓａ            調整空気
Ｓ              給気域
Ｅ              排気域
１６            換気ファン
ｗ              棚長辺方向
１２            吐出手段、天井換気扇
１２Ａ          吐出手段、吹出口
１０            栽培床
４ａ            栽培開始部
４ｂ            栽培終了部
Ｌ              栽培養液
５              養液貯留槽
６              栽培空間
７              天井板
８              天井裏空間
１３            上部遮壁
１４            下部遮壁
１５            送出口
２０            ダクト
１７            仕切壁
【図１】
0006587419.tif 000002
【図２】
0006587419.tif 000003
【図３】
0006587419.tif 000004
【図４】
0006587419.tif 000005
【図５】
0006587419.tif 000006
【図６】
0006587419.tif 000007
【図７】
0006587419.tif 000008
【図８】
0006587419.tif 000009